(57)【要約】【課題】使用後にはろ材のみを容易に交換することができ、外枠を繰り返して使用することができるエアフィルターを提供する。【解決手段】天板と、一対の側板と、底板とからなる囲い枠状に形成されたケーシング内部に、複数のろ材を収容して構成するエアフィルターであって、前記ケーシングが、天板、側板、底板のうちいずれか２つの板を切断する断面において折曲可能であり、折曲によりケーシングの内部が解放状態となることを特徴とするエアフィルター。【選択図】  図１
2004290772.tif 000002
【特許請求の範囲】
【請求項１】
天板と、一対の側板と、底板とからなる囲い枠状に形成されたケーシング内部に、複数のろ材を収容して構成するエアフィルターであって、前記ケーシングが、天板、側板、底板のうちいずれか２つの板を切断する断面において折曲可能であり、折曲によりケーシングの内部が解放状態となることを特徴とするエアフィルター。
【請求項２】
前記一対の側板間に棒状のろ材受け部材が少なくとも一つ架設されているとともに、前記ケーシングが折曲する断面がろ材受け部材を含む面である請求項１に記載のエアフィルター。
【請求項３】
ろ材に枠が取り付けてある請求項１または２に記載のエアフィルター。
【請求項４】
枠が可燃性である請求項３に記載のエアフィルター。
【請求項５】
枠にシール材が取り付けてある請求項３または４に記載のエアフィルター。
【請求項６】
ろ材がプリーツ加工されている請求項１から５のいずれかに記載のエアフィルター。
【請求項７】
ろ材がエレクトレット加工されている請求項１から６のいずれかに記載のエアフィルター。
【発明の詳細な説明】
【０００１】
【発明の属する技術分野】
本発明は、ビル、工場等の空調機に取り付け、空気中の浮遊塵埃を捕集するエアフィルターに関する。さらに詳しくは、ケーシングとろ材が分離可能であり、ケーシングを繰り返して使用することができるろ材交換型のエアフィルターに関する。
【０００２】
【従来の技術】
従来、ケーシングとろ材が分離可能であり、ケーシングを繰り返して使用することができるろ材交換型のエアフィルターとしては、次のものが知られている。
【０００３】
例えば、４個の側板により囲枠に形成され上面及び下面に開口部を有しかつ下面に濾材載置用額縁辺を延設させた下枠と、４個の側板により囲枠に形成され上面及び下面に開口部を有しかつ上面に濾材押え用の額縁辺を延設させ前記下枠を収容するように密封自在の上枠からなるエアフィルターが開示されている（例えば、特許文献１参照）。このエアフィルターは、周囲の側板が２重になっているというムダがあり、ろ材が組み込まれるためのスペースが小さくなってしまっているという欠点がある上に、枠部材の使用量が多いため、フィルターが重くなり、ろ材の交換作業に労力を要するものとなっている。
【０００４】
また、板材により角形枠状に形成されたケーシングを、上板と、一対の側板と、下板とから構成し、前記上板が両側板に対して容易に着脱せきるようにしてあると共に、前記側板は下板との接続部を支点として傾倒する態様で上端相互間が拡がり得るようにしてあり、前記側板の下流側部相互間に伸縮可能な棒状のろ材受け部材を少なくとも一つ架設したエアフィルターが開示されている（例えば、特許文献２参照）。このエアフィルターでは、側板が下板との接続部を支点に傾倒したり、ろ材受け部材が伸縮したりと、ケーシングが特殊で複雑な構造をしているため、ろ材の交換作業が煩雑であるという問題がある。また、繰り返し使っていると上板と側板の嵌合箇所が緩んできて、上板が簡単に外れてしまうようになってしまうという問題もある。
【０００５】
【特許文献１】特開平８−１５５２３８号公報
【０００６】
【特許文献２】特開平８−１８７４１１号公報
【０００７】
【発明が解決しようとする課題】
本発明の目的は、上記のような問題点を解消した、ろ材の交換作業が容易な、外枠を長期間繰り返して使用することができる、ろ材交換型のエアフィルターを提供することにある。
【０００８】
【課題を解決するための手段】
上記目的を達成する本発明は、次の構成を採用する。
（１）天板と、一対の側板と、底板とからなる囲い枠状に形成されたケーシング内部に、複数のろ材を収容して構成するエアフィルターであって、前記ケーシングが、天板、側板、底板のうちいずれか２つの板を切断する断面において折曲可能であり、折曲によりケーシングの内部が解放状態となることを特徴とするエアフィルター。
（２）前記一対の側板間に棒状のろ材受け部材が少なくとも一つ架設されているとともに、前記ケーシングが折曲する断面がろ材受け部材を含む面である（１）に記載のエアフィルター。
（３）ろ材に枠が取り付けてある（１）または（２）に記載のエアフィルター。
（４）枠が可燃性である（３）に記載のエアフィルター。
（５）枠にシール材が取り付けてある（３）または（４）に記載のエアフィルター。
（６）ろ材がプリーツ加工されている（１）から（５）のいずれかに記載のエアフィルター。
（７）ろ材がエレクトレット加工されている（１）から（６）のいずれかに記載のエアフィルター。
【０００９】
【発明の実施の形態】
以下に本発明について図面を参照して説明する。
【００１０】
図１は、本発明によるエアフィルターの一実施例の全体斜視図である。天板２ａ、側板２ｂ、２ｂ’、底板２ｃからなるケーシング２の内部に、ろ材３ａ、３ｂを収容してエアフィルター１を構成し、側板２ａ、２ｂの長手方向のエア流出側中央部にはろ材受け部材４が架設してある。ケーシング２は、ろ材受け部材４の架設位置における天板２ａと平行な断面で、ろ材受け部材４を軸に図２に示すように折曲可能であり、内部が解放状態となるのでろ材３ａ、３ｂを容易に交換することができる。ろ材受け部材４は、エアフィルター使用時にろ材が流出側に変形したり、抜けてしまうのを防止する役割を果たしており、必要に応じて複数本設置するのが好ましいが、無くても良い。
【００１１】
上記においてケーシングは、金属、合板、段ボール紙などを用いることができる。中でも、金属製のケーシングが長期間の使用にも耐えうるので好ましく、耐久面ではステンレスが、軽量面ではアルミニウムが、コスト面では亜鉛引き鋼板を使用するのが好ましい。ケーシングを構成する板のエア通過方向両端部には、図３に示すようなケーシング内側に向かって垂直にのびる辺縁部２ｄが設けられており、ケーシング内部に収容したろ材の脱落を防止すると共に、図示されない本発明によるエアフィルターが設置されるハウジングと嵌合するフランジの役割を果たす。ケーシングの折曲には、蝶番などの周知の部品を用いることができ、その位置は側板中央部やろ材受け部材を含む天板と平行な断面に限定されるものではない。また、折曲の方向も任意で良い。
【００１２】
図４から図７は、本発明によるエアフィルターの別の実施例を示す全体斜視図である。図４および図５の実施例では、ケーシング内に収容されるろ材を３分割としたので、ろ材が小さく軽くなり、取り扱いが容易にできるという利点がある。また、ろ材の運搬や交換作業性の観点から、必要に応じて、ろ材は更に小さく、任意の数と形状に分割しても何ら問題ない。図６の実施例では、ケーシングが折曲する断面を側板と平行な面としたので、エアフィルターを横方向から挿入するタイプの空調機においては、ケーシングを半分だけ引き出した状態でも、ろ材の交換を行うことができるという利点がある。空調機前のスペースが狭く、特殊な形をしているような場合であっても、ケーシングの折曲位置と方向をエアフィルターの交換スペースに合わせて設計すれば、ケーシングの折曲は図７の実施例のように斜めであっても良く、結果としてケーシング内部のろ材を容易に交換することができるのである。
【００１３】
ろ材としては、スポンジなどの多孔質材料やガラス繊維や合成繊維からなる不織布など、フィルターとして使用される通気性のある材料を用いることができる。中でも、合成繊維からなる不織布に静電気を付与したエレクトレット不織布が塵や埃の捕集性能に優れているので好ましい。更に好ましくは、捕集面積を大きくすることができるので不織布ろ材にプリーツ加工を施しておくのが良く、その場合、プリーツひだの間隔を一定に保つためにホットメルト樹脂などを線状に塗布したビード加工を施しておくのが好ましい。
【００１４】
上記の場合、プリーツろ材の少なくともプリーツ折り線方向の２つの面に枠を付けておくと、プリーツろ材を一体に保つことができる上にケーシングとのシール性も向上するので好ましい。枠には、金属板、合板、紙、不織布などを用いることができるが、中でも紙、不織布を用いると、使用済みのろ材を容易に減容処理することができるのでより好ましい。枠の取り付けには、一般的に使用されている合成接着剤などを用いることができるが、ホットメルト系接着剤を使用すると接着までの時間が短時間で済むので好ましい。ホットメルトはロールコーターなどを使って枠に塗布しても良いし、予めコーティングしたものを再加熱して使っても良い。
【００１５】
さらに、枠にシール材を取り付けておくと、ケーシングとろ材、および隣り合うろ材同士の気密性が向上するので好ましい。シール材には、クロロプレンやエチレンプロピレンゴム（ＥＰＭ、ＥＰＤＭ）などのスポンジゴムが好適に用いられ、粘着材を介してろ材の全周にわたって取り付けるのが良い。
【００１６】
【発明の効果】
本発明のエアフィルターは上記の通り、囲い枠状に形成されたケーシングが、天板、側板、底板のうちいずれか２つの板を切断する断面において折曲可能とし、ケーシングの内部が解放状態となるようにするので、ケーシング内部に収容したろ材の交換を容易にすることができる。
【図面の簡単な説明】
【図１】本発明によるエアフィルターの一実施例を示す全体斜視図。
【図２】本発明によるエアフィルターの一実施例において、ケーシングを折曲した状態の全体斜視図。
【図３】本発明によるエアフィルターを構成するケーシングの概略横断面図。
【図４】本発明によるエアフィルターの別の実施例において、ケーシングを折曲した状態を示す全体斜視図。
【図５】本発明によるエアフィルターの別の実施例において、ケーシングを折曲した状態を示す全体斜視図。
【図６】本発明によるエアフィルターの別の実施例において、ケーシングを折曲した状態を示す全体斜視図。
【図７】本発明によるエアフィルターの別の実施例において、ケーシングを折曲した状態を示す全体斜視図。
【符号の説明】
１  ：エアフィルター
２  ：ケーシング
２ａ：天板
２ｂ、２ｂ’：側板
２ｃ：底板
２ｄ：辺縁部
３  ：ろ材
３ａ、３ｂ：ろ材
４  ：ろ材受け部材
【図１】
2004290772.tif 000003
【図２】
2004290772.tif 000004
【図３】
2004290772.tif 000005
【図４】
2004290772.tif 000006
【図５】
2004290772.tif 000007
【図６】
2004290772.tif 000008
【図７】
2004290772.tif 000009